(57)【特許請求の範囲】
【請求項１】
通信装置に直結される給電部が背面から延びるアンテナにおいて、
アンテナ本体と、
上記アンテナ本体を覆う箱状のアンテナケーシングと、
上記アンテナケーシングの背面を覆う板金部と、
上記アンテナケーシングを通信装置に固定するためのアンテナ取付ネジが挿通される複数のネジ挿通部とを備え、
上記板金部における上記複数のネジ挿通部には、スリット部を設けることで、上記通信装置に向かって膨らんだ舌部がそれぞれ形成されている
ことを特徴とするアンテナ。
【請求項２】
請求項１に記載のアンテナにおいて、
上記舌部を形成するスリット部に正面側から嵌め込まれる防水パッキンを備えている
ことを特徴とするアンテナ。
【請求項３】
請求項１又は２に記載のアンテナにおいて、
上記アンテナケーシングには、上記複数のネジ挿通部に正面側からそれぞれ上記アンテナ取付ネジを挿通可能な工具挿通用凹部が複数形成されている
ことを特徴とするアンテナ。
【請求項４】
請求項１〜３のいずれか１つに記載のアンテナにおいて、
上記舌部の正面側には、落下防止用ナットが固定されており、
上記落下防止用ナットに上記アンテナ取付ネジを仮止め可能に構成されている
ことを特徴とするアンテナ。
【発明の詳細な説明】
【技術分野】
【０００１】
本発明は、通信装置に直結される給電部が背面から延びるアンテナに関する。
【背景技術】
【０００２】
従来より、球面の反射器を有するいわゆるパラボナアンテナを通信装置本体に接続する構造が知られている。通常、このようなアンテナ接続構造では、アンテナ側の円柱状の導波管（給電部）を通信装置本体側のコップ状に凹んだ凹部の導波管（給電部）に接続する。このアンテナ側の導波管を通信装置本体側の導波管に隙間なく確実に接続しないと、電波漏れが生じてしまって性能が低下する。
【０００３】
そこで、例えば、特許文献１のアダプターのように、パラボナアンテナ側に、導波管と、この導波管の中心から等距離、等間隔の位置に複数の雌ネジを設け、通信装置側にも導波管と複数の雌ネジを設けるものが知られている。
【先行技術文献】
【特許文献】
【０００４】
【特許文献１】特開２００６−３４５０１５号公報
【発明の概要】
【発明が解決しようとする課題】
【０００５】
しかしながら、特許文献１のアンテナでは、双方の導波管を確実に連結できるものの、通信装置側から六角皿ボルトと六角ボルトと締結しなければならず、作業性がよくないという問題がある。
【０００６】
本発明は、かかる点に鑑みてなされたものであり、その目的とするところは、簡単な構造で、給電部を簡単且つ確実に隙間なく接続できるようにすることにある。
【課題を解決するための手段】
【０００７】
上記の目的を達成するために、この発明では、アンテナ背面の板金のネジ挿通部に板バネ状の舌部を設けた。
【０００８】
具体的には、第１の発明では、通信装置に直結される給電部が背面から延びるアンテナを前提とし、
上記アンテナは、
アンテナ本体と、
上記アンテナ本体を覆う箱状のアンテナケーシングと、
上記アンテナケーシングの背面を覆う板金部と、
上記アンテナケーシングを通信装置に固定するためのアンテナ取付ネジが挿通される複数のネジ挿通部とを備え、
上記板金部における上記複数のネジ挿通部には、スリット部を設けることで、上記通信装置に向かって膨らんだ舌部がそれぞれ形成されている。
【０００９】
上記の構成によると、板金部の一部を切り込んで膨らませた舌部は、板バネのように弾性を有するので、アンテナケーシング背面の給電部を通信装置に接続するときに、板金部全体が通信装置の正面に当接する前に舌部が通信装置の正面に当接する。その状態で、ネジ挿通部にネジを挿通して締結するので、締め込むにつれて舌部のみが撓んで板金部は撓まない。このため、板金部側の撓みの発生を抑制しながら、給電部が隙間なく通信装置に接続される。そして、アンテナ自体がゆがまないので、焦点距離がずれて性能が低下することはない。
【００１０】
第２の発明では、第１の発明において、
上記舌部を形成するスリット部に正面側から嵌め込まれる防水パッキンを備えている。
【００１１】
上記の構成によると、防水パッキンを嵌め込むことにより、舌部が膨らんでいても舌部を囲むスリット部からアンテナケーシング内に雨水等が入り込まない。また、板金部の取付前に正面側から防水パッキンをスリット部に嵌め込むようにすることで、背面側に必要以上に防水パッキンが飛び出さないので、取付作業が容易であると主に、給電部の確実な接続を阻害することはない。
【００１２】
第３の発明では、第１又は第２の発明において、
上記アンテナケーシングには、上記複数のネジ挿通部に正面側からそれぞれ上記アンテナ取付ネジを挿通可能な工具挿通用凹部が複数形成されている。
【００１３】
上記の構成によると、アンテナケーシングの背面側を通信装置に向かって押し付けて給電部を確実に接続しながら、工具挿通用凹部にドライバーなどの工具を差し込んでネジを締め付ければよいので、作業性が極めてよい。
【００１４】
第４の発明では、第１〜第３のいずれか１つの発明において、
上記舌部の正面側には、落下防止用ナットが固定されており、
上記落下防止用ナットに上記アンテナ取付ネジを仮止め可能に構成されている。
【００１５】
上記の構成によると、落下防止用ナットに予めアンテナ取付ネジを締め付けておけば、高所作業となる取付現場でアンテナ取付ネジを嵌め込む作業が必要なく、締め付け作業を安全且つ簡単に行うことができる。
【発明の効果】
【００１６】
以上説明したように、本発明によれば、アンテナケーシングの背面を覆う板金部におけるネジ挿通部に、スリット部に覆われて通信装置に向かって膨らんだ舌部を設けたことにより、簡単な構造で、給電部を簡単且つ確実に隙間なく接続できる。
【図面の簡単な説明】
【００１７】
【図１】本発明の実施形態に係るアンテナを背面側から見た斜視図である。
【図２】通信装置に取り付けられたアンテナを正面側から見た斜視図である。
【図３】通信装置に取り付けられたアンテナを示す側面図である。
【図４】通信装置に取り付けられたアンテナを示す断面図である。
【図５】図４のＶ部拡大断面図である。
【図６】防水パッキンを拡大して示す斜視図である。
【発明を実施するための形態】
【００１８】
以下、本発明の実施形態を図面に基づいて説明する。
【００１９】
図１は、本発明の実施形態のアンテナ１を示し、このアンテナ１は、例えば、８０ＧＨｚの中継基地局用のアンテナである。アンテナ１は、例えばビル間の数百ｍほどの距離をあけた場所に対向して設けられる。
【００２０】
アンテナ１は、内部にアンテナ本体２を備えている。例えば、このアンテナ本体２は、図４に矢印を例示した受信の場合に電波を反射する球面の主反射鏡２ａと、この主反射鏡２ａが集めた電波を反射する副反射鏡２ｂと、この副反射鏡２ｂで集めた電波を受ける一次放射器３とを備えている。一次放射器３は、背面側まで延びると共に、通信装置５０側の図示しない凹状の導波管（給電部）に接続される円柱状接続部３ａ（給電部）を有する。矢印は例示しないが、このアンテナ１は、送信時には、一次放射器３から副反射鏡２ｂに電波を放射し、副反射鏡２ｂから主反射鏡２ａに電波を反射して送り出すようになっている。
【００２１】
図２及び図３に示すように、アンテナ本体２を覆うアンテナケーシング４は、例えば樹脂成形品よりなる角部が面取りされた矩形箱状であり、背面側がフランジ状に拡がるフランジ部４ａを有する。主反射鏡２ａに対向する部分は、球面状に膨らんだ膨出部２ｃが形成されているが、この膨出部２ｃは、平坦でもよい。
【００２２】
アンテナケーシング４の背面側は、例えば１．２ｍｍのステンレスの薄板よりなる板金部５で覆われている。円柱状接続部３ａは、板金部５の中央の貫通孔から背面側へ突出している。板金部５は、例えば板金取付用ボルト５ａによってフランジ部４ａの背面側に隙間が生じないように密閉状に締結されている。
【００２３】
図１に示すように、板金部５には、アンテナケーシング４を、通信装置５０に固定するためのアンテナ取付ネジ１０が挿通される複数のネジ挿通部６が設けられている。本実施形態では、ネジ挿通部６は、アンテナケーシング４の四つ角の面取りされた部分に対応して４つ設けられている。ネジ挿通部６の個数はこれに限定されず、少なくとも複数箇所あればよい。
【００２４】
そして、板金部５における各ネジ挿通部６には、Ｕ字状のスリット部７がそれぞれ形成され、それにより、通信装置５０に向かって膨らんだ舌部８が形成されている。４つの舌部８は、円柱状接続部３ａ周りに９０°均等に配置され、円柱状接続部３ａの半径方向に沿った方向に延びている。舌部８の貫通孔には、落下防止用ナット１１がかしめられている。図１では、このアンテナ取付ネジ１０が背面側に飛び出した状態で示してあるが、通信装置５０にアンテナ１を取り付ける前には、予めこの落下防止用ナット１１にアンテナ取付ネジ１０が仮止めされている。そして、取付現場は、通常高所作業となるので、予め落下防止用ナット１１に締め付けられていたアンテナ取付ネジ１０を工具挿通用凹部４ｂにドライバーなどの工具を差し込んで通信装置５０の雌ネジ５１に締め付けられるようになっている。
【００２５】
なお、図５に拡大して示すように、舌部８を形成するスリット部７の部分には、正面側から防水パッキン９が嵌め込まれている。防水パッキン９は、例えば略長円形のシリコンゴムよりなり、図５に示すように、スリット部７に対応する部分にＵ字状に突出したリブ９ａを有し、このリブ９ａがスリット部７に嵌め込まれるようになっている。リブ９ａの高さは、例えば、板金部５の厚さと同程度とする。リブ９ａに囲まれた部分にアンテナ取付ネジ１０（具体的には、落下防止用ナット１１）を挿通する貫通孔９ｂが形成されている。図５に示すように、板金部５とアンテナ取付ネジ１０の正面との間には、円柱状接続部３ａを接続した状態で意図的に例えば０．３ｍｍ〜０．７ｍｍの隙間Ｃが保たれるような寸法関係となっている。
【００２６】
そして、図２及び図４に示すように、アンテナケーシング４には、複数のネジ挿通部６に正面側からそれぞれアンテナ取付ネジ１０を挿通可能な工具挿通用凹部４ｂが複数形成されている。工具挿通用凹部４ｂは、例えば、アンテナケーシング４の成形時に形成すればよい。
【００２７】
以上のように構成したことにより、板金部５の一部をＵ字状のスリット部７で囲んで通信装置５０側に膨らませた舌部８は、板バネのように弾性を有するので、アンテナケーシング４背面の一次放射器３を通信装置５０に接続するときに、板金部５全体が通信装置５０の正面に当接する前に舌部８が通信装置５０の正面に当接する。その状態で、ネジ挿通部６にアンテナ取付ネジ１０を挿通して締結するので、締め込むにつれて舌部８のみが撓んで板金部５全体は撓まない。このため、板金部５側の撓みの発生を抑制しながら、一次放射器３が隙間なく通信装置５０に接続される。そして、板金部５の撓みを防止することで、アンテナ１自体が撓んで焦点距離がずれず、性能が悪化しない。
【００２８】
また本実施形態では、防水パッキン９を嵌め込むことにより、舌部８が撓んでも、舌部８を設けるために形成したスリット部７からアンテナケーシング４内に雨水等が入り込まない。また、正面側から防水パッキン９を嵌め込むようにすることで、背面側に必要以上に防水パッキン９が飛び出さないので、一次放射器３の確実な接続を阻害することはない。
【００２９】
さらに本実施形態では、アンテナケーシング４を通信装置５０に向かって押し付けて一次放射器３を確実に接続しながら、工具挿通用凹部４ｂにドライバーなどの工具を差し込んでアンテナ取付ネジ１０を締め付ければよいので、作業性が極めてよい。
【００３０】
また、舌部８の正面側に落下防止用ナット１１を固定しているので、落下防止用ナット１１に予めアンテナ取付ネジ１０を締め付けておけば、高所作業となる取付現場でアンテナ取付ネジ１０を嵌め込む作業が必要なく、アンテナケーシング４の背面側を通信装置５０に向かって押し付けながら、工具挿通用凹部４ｂに工具を差し込んでアンテナ取付ネジ１０を締め付ければよいので、締付作業を安全且つ簡単に行うことができる。
【００３１】
したがって、本実施形態に係るアンテナ１によると、簡単な構造で、給電部である円柱状接続部３ａを簡単且つ確実に隙間なく接続できる。
【００３２】
（その他の実施形態）
本発明は、上記実施形態について、以下のような構成としてもよい。
【００３３】
すなわち、上記実施形態では、アンテナケーシング４の形状を通信装置５０の形状に合わせて直方体の角部に面取りを加えたような形状としたが、通信装置５０の形状が異なる場合には、その形状に合わせて異なる形状とすればよい。
【００３４】
上記実施形態では、一次放射器３側が基端となるようにＵ字状のスリット部７を設けて舌部８を形成したが、一次放射器３と反対側が基端となるようにＵ字状のスリット部７を設けてもよいし、スリット部の形状を丸みのない角張ったものなど他の形状としてもよい。
【００３５】
なお、以上の実施形態は、本質的に好ましい例示であって、本発明、その適用物や用途の範囲を制限することを意図するものではない。
【符号の説明】
【００３６】
１      アンテナ
２      アンテナ本体
２ａ    主反射鏡
２ｂ    副反射
２ｃ    膨出部
３      一次放射器
３ａ    円柱状接続部（給電部）
４      アンテナケーシング
４ａ    フランジ部
４ｂ    工具挿通用凹部
５      板金部
５ａ    板金取付用ボルト
６      ネジ挿通部
７      スリット部
８      舌部
９      防水パッキン
９ａ    リブ
９ｂ    貫通孔
１０      アンテナ取付ネジ
１１      落下防止用ナット
５０      通信装置
５１      雌ネジ
【図１】
0006584315.tif 000002
【図２】
0006584315.tif 000003
【図３】
0006584315.tif 000004
【図４】
0006584315.tif 000005
【図５】
0006584315.tif 000006
【図６】
0006584315.tif 000007